(57)【要約】      （修正有）【課題】搬送面の形状を簡単に変更することができ、段ボール紙，厚紙等の板紙類の供給形態を供給先の必要に応じて短時間で容易に対処できる板紙類移送用コンベヤを提供する。【解決手段】ベルト支持体４を前端部ローラ１と後端部ローラ２の間であってコンベヤベルト３の内側に配設し、該ベルト支持体４を後方部を支点４ｄとして傾動させて前縁部４ａを昇降させることにより、コンベヤベルト３が前縁部４ａにより持ち上げられて搬送面が凸状となる第１形態と、該コンベヤベルト３の搬送面が水平になる第２形態とに変形するようにすると共に、該ベルト支持体４の前縁部４ａ下縁に張出部４ｅを形成し、該張出部４ｅをコンベヤベルト３の内面に摺接させることにより、該コンベヤベルト３が常に弛みなく張設されるようにした。【選択図】図３
2010222066.tif 000002
【特許請求の範囲】
【請求項１】
前端部ローラと後端部ローラとの間に巻回された無端状のコンベヤベルトと、前縁部が緩やかな円弧面状に形成され該前縁部から後方に向かっては平面状に形成されたベルト支持体とからなり、該ベルト支持体を前端部ローラと後端部ローラの間であって前記コンベヤベルトの内側に配設し、該ベルト支持体を後方部を支点として傾動させて該前縁部を昇降させることにより、該コンベヤベルトが該前縁部により持ち上げられて搬送面が凸状となる第１形態と、該コンベヤベルトの搬送面が水平になる第２形態とに変形するようにすると共に、該ベルト支持体の前縁部下縁に張出部を形成し、該張出部をコンベヤベルトの内面に摺接させることにより、該コンベヤベルトが常に弛みなく張設されるようにしたことを特徴とする板紙類移送用コンベヤ。
【発明の詳細な説明】
【技術分野】
【０００１】
本発明は、段ボール紙，厚紙等の板紙類を印刷機，整函機等に連続的に供給するための板紙類移送用コンベヤに関するものである。
【背景技術】
【０００２】
所定の大きさに裁断されて積重ねられた段ボール紙等の板紙に印刷を施したり、製函するための板紙類移送装置は、下記特許文献１、２等に示されている。この特許文献１、２に示された板紙類移送装置は、板紙を水平なコンベヤ上にて一枚ずつラップ状に折り重なるような形態にして搬送するものである。
また、印刷機，整函機等の仕様によっては、板紙を数十枚重なった塊状のままで水平なコンベヤ上を搬送させ、当該印刷機，整函機等に供給することも従来からあった。
【先行技術文献】
【特許文献】
【０００３】
【特許文献１】特開平２−８１２９号公報
【特許文献２】特開平９−３１５６５８号公報
【発明の概要】
【発明が解決しようとする課題】
【０００４】
このため、供給先の仕様に合わせてコンベヤを設定する必要があるが、従来では１台のコンベヤで上記のような多様な搬送形態に応じられるものがないため、コンベヤを仕様に合ったものに入れ替えて対処するしかなかったが、コンベヤの入れ替えには手間と時間を要するので生産効率を悪くするという問題があった。
【課題を解決するための手段】
【０００５】
そこで、本発明はこれらの問題点を解消した新たな構造の板紙類移送用コンベヤを提供しようとするものである。そのために本発明の板紙類移送用コンベヤは、前端部ローラと後端部ローラとの間に巻回された無端状のコンベヤベルトと、前縁部が緩やかな円弧面状に形成され該前縁部から後方に向かっては平面状に形成されたベルト支持体とからなり、該ベルト支持体を前端部ローラと後端部ローラの間であって前記コンベヤベルトの内側に配設し、該ベルト支持体を後方部を支点として傾動させて該前縁部を昇降させることにより、該コンベヤベルトの搬送面が該前縁部により持ち上げられて凸状となる第１形態と、該コンベヤベルトの搬送面が水平になる第２形態とに変形するようにすると共に、該ベルト支持体の前縁部下縁に張出部を形成し、該張出部をコンベヤベルトの内面に摺接させることにより、該コンベヤベルトが常に弛みなく張設されるようにしたことを特徴とする。
【発明の効果】
【０００６】
本発明の板紙類移送用コンベヤによれば、コンベヤベルトの搬送面の形状を簡単に変更することができるので、板紙類の搬送形態を供給先の必要、或いはその板紙類の大きさ、形状等に合わせて短時間で容易に対応できるようになり、生産効率が向上する。
【図面の簡単な説明】
【０００７】
【図１】本発明に係る板紙類移送用コンベヤの実施形態を示した縦断面図。
【図２】図１の板紙類移送用コンベヤの作動状態図。
【図３】本発明に係る板紙類移送用コンベヤの使用状態を示した縦断面図。
【図４】本発明に係る板紙類移送用コンベヤの使用状態を示した縦断面図。
【発明を実施するための形態】
【０００８】
次に本発明に係る板紙類移送用コンベヤの実施の形態を説明する。図１、図２において、１はフレームに回転自在に支持された前端部ローラ、２は同じくフレームに回転自在に支持された後端部ローラ、３は該前端部ローラと後端部ローラとの間に巻回された無端状のコンベヤベルトである。４は前縁部４ａが緩やかな円弧面状に形成され該前縁部４ａから後方に向かっては平面状に形成され、前端部ローラ１と後端部ローラ２の間であってコンベヤベルト３の内側に配設されたベルト支持体、５は該ベルト支持体４を昇降動させるためのステーである。該ステー５はフレームに回転自在に支持された作動軸６の外周に設けられていて該ステー５の先端部をベルト支持体４の前縁部４ａの内側に連結片４ｂを設け該連結片に開設された長孔状の連結孔４ｃに枢着している。また、該ベルト支持体４の後方部は支点４ｄを介してフレームに支持されている。
【０００９】
このため、作動軸６を回転させステー５を揺動させることにより、ベルト支持体４が支点４ｄを支点として傾動し前縁部４ａが図１に示したように上昇した状態と図２に示したように下降した状態とに変化し、上昇した状態ではコンベヤベルト３が該前縁部により持ち上げられてその搬送面が凸状となり（以下、第１形態という）、下降した状態では該コンベヤベルトの搬送面が水平になる（以下、第２形態という）。
また、該ベルト支持体４の前縁部４ａ下縁に張出部４ｅが形成され、該張出部４ｅをコンベヤベルト３の内面に摺接させている。このため、コンベヤベルト３は第１形態でも第２形態でも常に弛みなく張設される。そして、前端部ローラ２または後端部ローラ３がモータに連繋され、該ローラを回転駆動することにより、コンベヤベルト３が矢印の方向に周回動するようにしている。
【００１０】
図３、図４はこの板紙類移送用コンベヤの使用状態を示すもので、１０はこの板紙類移送用コンベヤに先行して設置された搬入コンベヤである。図３に示した使用状態では、該搬入コンベヤ１０上に多数枚の段ボール紙１１が半起立の前頃姿勢で重合状態にて搬送されて来る。このときこの板紙類移送用コンベヤは、搬送面が凸状となる第１形態に設定されることから、この板紙類移送用コンベヤに到達した段ボール紙１１は、図示したようにその凸状の搬送面によって１枚ずつ掬い上げられた後、さらに前方に倒れラップ状態にて矢印の方向に搬送され、印刷機，整函機等に供給される。なお、ベルト支持体４の前縁部４ａの突出高さは、段ボール紙１１の大きさや形状に合わせて適宜調節することができる。
一方、図４に示した使用状態では、段ボール紙１１が数十枚ごと塊状になって搬入コンベヤ１０上を搬送されて来る。この場合この板紙類移送用コンベヤは搬送面が該搬入コンベヤ１０と同水準で水平になるように第２形態に設定することにより、段ボール紙１１をその塊状形態を崩すことなく、印刷機，整函機等に供給することができる。
【００１１】
このように本発明の板紙類移送用コンベヤによれば、ベルト支持体４を傾動させるだけで搬送面の形状を簡単に変更することができ、コンベヤをいちいち入れ替えるような手間を要することなく、段ボール紙，厚紙等の板紙類を供給先の仕様、或いはその板紙類の大きさ、形状等に合うように短時間で容易に対処できるようになる。
なお、上記実施形態では図示していないが、コンベヤベルト３との摩擦を軽減するためにベルト支持体４の一部にローラを設けるようにしてもよい。
【符号の説明】
【００１２】
１      前端部ローラ
２      後端部ローラ
３      コンベヤベルト
４      ベルト支持体
４ａ    前縁部
４ｂ    連結片
４ｃ    連結孔
４ｄ    支点
４ｅ    張出部
５      ステー
６      作動軸
１０    搬入コンベヤ
１１    段ボール紙
【図１】
2010222066.tif 000003
【図２】
2010222066.tif 000004
【図３】
2010222066.tif 000005
【図４】
2010222066.tif 000006